(57)【特許請求の範囲】
【請求項１】
筐体本体と、
前記筐体本体に収容され、表示画面に情報を表示するサブ表示部と、
前記筐体本体に嵌合して取り付けられ、前記表示画面の位置に開口部が形成される筐体ケースと、
前記筐体ケースの裏面と前記サブ表示部との間に設置され、前記表示画面を覆うインナーパネルと、
一方の面が前記インナーパネルに貼り付けられ、他方の面が前記筐体ケースの裏面の前記開口部の周囲に貼り付けられ、前記インナーパネルと前記筐体ケースとの隙間を密閉する防水両面テープと、
前記筐体ケースの表面に取り付けられ、前記開口部を覆うサブパネルと、
一方の面が前記サブパネルに貼り付けられ、他方の面が前記筐体の表面及び前記インナーパネルに貼り付けられる両面テープと、
前記筐体本体に収容され、光を発行するＬＥＤと、
を備え、
前記筐体ケースには、前記ＬＥＤの位置に第２開口部が形成され、
前記インナーパネルには、前記ＬＥＤを覆い、前記ＬＥＤから発光された光を集光し、前記第２開口部に嵌合するＬＥＤ集光部が形成される、
携帯端末装置。
【請求項２】
前記インナーパネルは、透明又は半透明部品である、請求項１記載の携帯端末装置。
【請求項３】
前記サブパネルは、透明又は着色された光透過性を有する部品である、請求項１記載の携帯端末装置。
【発明の詳細な説明】
【技術分野】
【０００１】
本発明は、サブパネルを有する携帯電話機などの携帯端末装置に関し、特に、サブパネルの防水構造の改良に関する。
【背景技術】
【０００２】
近年、携帯電話機等の携帯端末装置では、薄型化の要求が高まっている。また、携帯端末装置には、折り畳み可能なものが多数存在し、特に携帯電話機は折り畳み型が主流である。
【０００３】
折り畳み携帯電話機は、２つの筐体をヒンジ構造の連結部を介して連結する。折り畳み携帯電話機には、一方の筐体に、大型のＬＣＤ表示部を設けるとともに、閉じた状態で時刻などを表示するサブ表示部を設けるものがある。
【０００４】
特許文献１には、固定側筐体と可動側筐体とをヒンジ構造の連結部を介して連結し、可動側筐体にサブ表示部を設けた携帯端末装置が開示されている。特許文献１記載の携帯端末装置は、筐体に防水機能をもった両面テープ付きのフレーム板を配置し、このフレーム板に金属パネルと表示部用透明パネルを貼り付けている。
【先行技術文献】
【特許文献】
【０００５】
【特許文献１】特開２０１０−１３０５８１号公報
【発明の概要】
【発明が解決しようとする課題】
【０００６】
しかしながら、特許文献１に記載された従来の装置では、サブパネルに、防水性能を確保するために十分なＷＦ（両面テープ）の貼り代を設けなければならない。装置は、両面テープの貼り代を考慮してデザインする必要があるため、上記従来技術では、防水携帯サブパネルのデザインの自由度が制約される。特に、上記従来技術では、サブパネルを細幅化しにくいという課題を有している。
【０００７】
また、半透明の筐体ケースを用いて表示部を覆うこともできるが、この場合、表示部以外の部分に光が透過しないように筐体塗装の重ね塗り回数を増やす必要があり、コストアップにつながるという課題がある。
【０００８】
本発明の目的は、サブパネルの細幅化を実現しつつ、サブパネル部分の防水性能を確保でき、かつ、コストを抑える携帯端末装置を提供することである。
【課題を解決するための手段】
【０００９】
本発明の携帯端末装置は、筐体本体と、前記筐体本体に収容され、表示画面に情報を表示するサブ表示部と、前記筐体本体に嵌合して取り付けられ、前記表示画面の位置に開口部が形成される筐体ケースと、前記筐体ケースの裏面と前記サブ表示部との間に設置され、前記表示画面を覆うインナーパネルと、一方の面が前記インナーパネルに貼り付けられ、他方の面が前記筐体ケースの裏面の前記開口部の周囲に貼り付けられ、前記インナーパネルと前記筐体ケースとの隙間を密閉する防水両面テープと、前記筐体ケースの表面に取り付けられ、前記開口部を覆うサブパネルと、一方の面が前記サブパネルに貼り付けられ、他方の面が前記筐体の表面及び前記インナーパネルに貼り付けられる両面テープと、前記筐体本体に収容され、光を発行するＬＥＤと、を備え、前記筐体ケースには、前記ＬＥＤの位置に第２開口部が形成され、前記インナーパネルには、前記ＬＥＤを覆い、前記ＬＥＤから発光された光を集光し、前記第２開口部に嵌合するＬＥＤ集光部が形成される構成を採る。
【発明の効果】
【００１０】
本発明によれば、サブパネルの細幅化を実現しつつサブパネル部分の防水性能を確保し、かつ、コストを抑えることができる。
【図面の簡単な説明】
【００１１】
【図１】本発明の一実施の形態に係る携帯端末装置の筐体の分解斜視図
【図２】上記実施の形態に係る携帯端末装置の筐体の平面図
【図３】図２のＡ−Ａ断面図
【図４】図２のＢ−Ｂ断面図
【図５】図４のＣ部拡大断面図
【図６】上記実施の形態に係る携帯端末装置の筐体ケースの構成図
【図７】上記実施の形態に係る携帯端末装置のインナーパネルの構成図
【図８】上記実施の形態に係る携帯端末装置の筐体ケースにインナーパネル及び化粧パネルを取り付けた状態を示す図
【発明を実施するための形態】
【００１２】
以下、本発明の実施の形態について図面を参照して詳細に説明する。なお、以下の説明では、携帯端末装置の例として、折り畳み携帯電話機を用いる。
【００１３】
（実施の形態）
図１は、本発明の一実施の形態に係る携帯端末装置の筐体の分解斜視図である。図２は、上記携帯端末装置の筐体の平面図である。図３は、図２のＡ−Ａ断面図、図４は、図２のＢ−Ｂ断面図である。図５は、図４のＣ部拡大断面図である。
【００１４】
図６は、筐体ケース１３０の構成を示す図であり、図６（ａ）は、その平面図、図６（ｂ）は、その左側面図、図６（ｃ）は、その右側面図、図６（ｄ）は、その背面図である。
【００１５】
図７は、インナーパネル１６０の構成を示す図であり、図７（ａ）は、その平面図、図７（ｂ）は、その左側面図、図７（ｃ）は、その右側面図、図７（ｄ）は、その背面図である。
【００１６】
携帯端末装置１００は、表示部側筐体１１０（以下、筐体という）と図示しない本体側筐体とがヒンジ部１０１によって回動自在に連結される。なお、図示しない本体側筐体は、キーボタンを有する操作部、マイク等を外部に備え、無線回路、制御回路及び情報処理回路等を内部に備えている。
【００１７】
筐体１１０は、キャビネット（筐体本体）１２０と、キャビネット１２０に装着される筐体ケース１３０と、から構成される。
【００１８】
キャビネット１２０の内部には、ホルダ１４０、サブ表示部１５０が収容される。筐体ケース１３０には、インナーパネル１６０及び化粧パネル（サブパネル）１７０が取り付けられる。インナーパネル１６０には、防塵クッション１５５が取り付けられる。インナーパネル１６０と筐体ケース１３０との間には、防水両面テープ１８０が取り付けられる。筐体ケース１３０及びインナーパネル１６０と化粧パネル１７０との間には両面テープ１９０が取り付けられる。
【００１９】
キャビネット１２０は、ディスプレイ用基板１２１と、液晶ディスプレイ部（メイン表示部）１２２と、表側パネル１２３と、を有する。ディスプレイ用基板１２１と液晶ディスプレイ部１２２は、図示しないフレキシブル基板により接続されている。また、図１に示すように、ディスプレイ用基板１２１は、フレキシブル基板１２５によりサブ表示部１５０に接続されている。さらに、ディスプレイ用基板１２１には、発光して着信を知らせるＬＥＤ１２６が設置されている。また、キャビネット１２０の側面には、筐体ケース１３０を、キャビネット１２０に係止する複数の係止爪１２７が形成されている。
【００２０】
筐体ケース１３０は、筐体１１０の外装ケースであり、携帯端末装置１００の表側カバーである。筐体ケース１３０には、厚さ方向において化粧パネル１７０の全面を隙間なく嵌め込むための凹部１３１が形成されている。筐体ケース１３０の凹部１３１部分には、ユーザがサブ表示部１５０を視認するための窓部となる矩形状の開口部１３２が形成されている。開口部１３２から筐体ケース１３０の裏面１３４に至る部分には、後述するインナーパネル１６０のテーパ部１６２に対向するテーパ部１３３が形成されている。筐体ケース１３０には、ユーザが着信ＬＥＤ部１６５を視認するための窓部となる開口部１３５が形成されている。筐体ケース１３０には、サブ表示部１５０と化粧パネル１７０とのズレを抑制するために、ホルダ１４０に対する位置決めピン１３７が設けられている。筐体ケース１３０には、インナーパネル１６０に対する位置決めピン１３６が設けられている。また、筐体ケース１３０の側面には、キャビネット１２０に係止させるための複数の係止爪１３８が形成されている。
【００２１】
ホルダ１４０は、サブ表示部１５０の周囲を取り囲むと共に、サブ表示部１５０を爪１４１，１４２で把持してキャビネット１２０内に保持する。ホルダ１４０には、位置決めピン１３７が挿入される取り付け穴１４３が形成されている。
【００２２】
サブ表示部１５０は、キャビネット１２０に配置され、表示画面に時刻等の各種情報を表示する。
【００２３】
防塵クッション１５５は、四角枠形状であって、所定の厚みを有する軟質材であり、インナーパネル１６０に接着される。防塵クッション１５５は、携帯端末装置１００の組み立て完了時には、ホルダ１４０の端部上及びサブ表示部１５０の外周端部上に配置される。これにより、サブ表示部１５０の表面への塵埃の侵入が防止される。
【００２４】
インナーパネル１６０は、透明又は半透明の部材からなり、筐体ケース１３０の裏面１３４に、開口部１３２を覆うように取り付けられる。インナーパネル１６０は、携帯端末装置１００の組み立て完了時には、サブ表示部１５０の表示画面を覆う。インナーパネル１６０は、サブ表示部１５０及び化粧パネル１７０とは別体で、サブ表示部１５０及びＬＥＤ１２６の防水・防塵用として専用に設けられる。
【００２５】
インナーパネル１６０は、サブ表示部１５０に対向し、筐体ケース１３０の開口部１３２に一部が突出する矩形形状の平面部１６１と、平面部１６１を取り囲んでキャビネット１２０側に傾斜するテーパ部１６２と、テーパ部１６２端から外周方向に延びるフランジ部１６３と、を有する。また、フランジ部１６３には、位置決めピン１３６が挿入され、インナーパネル１６０を筐体ケース１３０に取り付けるための取り付け穴１６４が形成されている。
【００２６】
さらに、インナーパネル１６０には、ＬＥＤ１２６の発光を集光して筐体ケース１３０表面に表示する着信ＬＥＤ部１６５が形成されている。着信ＬＥＤ部１６５は、インナーパネル１６０の各部と一体成型により形成される。着信ＬＥＤ部１６５は、筐体ケース１３０の開口部１３５に嵌合するように配置される。これにより、ＬＥＤの防水性能を確保することができる。
【００２７】
化粧パネル１７０は、透明な樹脂パネル又は強化ガラス部材である。また、化粧パネル１７０は、着色された光透過性を有する部材であってもよい。化粧パネル１７０は、筐体ケース１３０の凹部１３１に隙間なく嵌まり込んで、筐体ケース１３０の開口部１３２を覆う。化粧パネル１７０は、筐体ケース１３０の凹部１３１への取り付け後には筐体ケース１３０の表面と面一となり、筐体ケース１３０の表面と一体的になる。
【００２８】
防水両面テープ１８０は、平面形状がフランジ部１６３と略同一で、所定の厚みを有する軟質材であり、両面に接着剤が塗られている。防水両面テープ１８０の一方の面は、インナーパネル１６０の外周部分であるフランジ部１６３に貼り付けられる。そして、インナーパネル１６０が筐体ケース１３０に取り付けられると、防水両面テープ１８０の他方の面が筐体ケース１３０の裏面１３４に貼り付けられる。これにより、筐体ケース１３０とインナーパネル１６０との間が密閉される。防水両面テープ１８０の貼り付け面積は、十分大きいものであるから、防水性能を確保することができる。
【００２９】
両面テープ１９０は、非常に薄いテープであり、両面に接着剤が塗られている。両面テープ１９０の、一方の面は、化粧パネル１７０の裏面に貼り付けられ、他方の面は、筐体ケース１３０表面の凹部１３１の底面に貼り付けられる。そして、両面テープ１９０の他方の面は、インナーパネル１６０の平面部１６１にも貼り付けられる。なお、防水性能は、防水両面テープ１８０に依って既に確保されているので、両面テープ１９０は、簡易なものでよい。また、化粧パネル１７０が、凹部１３１との嵌合により、筐体ケース１３０に十分に固定される場合には、両面テープ１９０を用いなくても良い。
【００３０】
次に、上述のように構成された携帯端末装置１００の筐体１１０の組立てについて説明する。なお、予め、防水両面テープ１８０はインナーパネル１６０に貼り付けられ、両面テープ１９０は化粧パネル１７０に貼り付けられているものとする。
【００３１】
まず、キャビネット１２０のホルダ１４０の中にサブ表示部１５０を設置し、サブ表示部１５０を爪１４１，１４２で把持させることにより、キャビネット１２０にサブ表示部１５０を取り付ける。
【００３２】
次に、筐体ケース１３０の位置決めピン１３６をインナーパネル１６０の取り付け穴１６４に嵌め込み、防水両面テープ１８０を筐体ケース１３０に貼り付けることにより、筐体ケース１３０にインナーパネル１６０を取り付ける。これにより、筐体ケース１３０とインナーパネル１６０との間が密閉され、開口部１３２からの浸水が防がれる。
【００３３】
また、インナーパネル１６０の着信ＬＥＤ部１６５が筐体ケース１３０の開口部１３５に嵌合する。これにより、開口部１３５からの浸水が防がれる。なお、このとき、インナーパネル１６０のテーパ部１６２は、筐体ケース１３０のテーパ部１３３に対向して配置される。テーパ部１６２とテーパ部１３３とは当接しない。
【００３４】
次に、インナーパネル１６０のサブ表示部１５０と対向する面に防塵クッション１５５を貼り付ける。
【００３５】
次に、両面テープ１９０が貼り付けられた化粧パネル１７０を筐体ケース１３０の凹部１３１へ取り付ける。このとき、インナーパネル１６０の平面部１６１に両面テープ１９０が貼り付く。これにより、化粧パネル１７０が筐体ケース１３０に固定される。
【００３６】
最後に、筐体ケース１３０の位置決めピン１３７をホルダ１４０の取り付け穴１４３に嵌め込み、筐体ケース１３０をキャビネット１２０の側面の係止爪１２７で把持させることにより、筐体ケース１３０をキャビネット１２０に組み付ける。
【００３７】
以上により、筐体１１０の組み立てが終了する。なお、組み立て手順として、先に、化粧パネル１７０を筐体ケース１３０の凹部１３１へ取り付け、その後に、筐体ケース１３０にインナーパネル１６０を取り付けても良い。
【００３８】
図８は、筐体ケース１３０に、インナーパネル１６０及び化粧パネル１７０を取り付けた状態を示す図である。図８（ａ）は、その平面図、図８（ｂ）は、その側面図、図８（ｃ）は、その背面図である。
【００３９】
図８（ａ）に示すように、インナーパネル１６０の筐体ケース１３０の裏面１３４への取り付けにより、着信ＬＥＤ部１６５は、筐体ケース１３０の開口部１３５に露出される。また、図８（ｂ）に示すように、組み立て後は、化粧パネル１７０は、筐体ケース１３０の表面と面一となる。
【００４０】
以上詳細に説明したように、本実施の形態の携帯端末装置１００は、サブ表示部１５０と、サブ表示部１５０全面を覆うインナーパネル１６０と、筐体ケース１３０の凹部１３１に嵌合する矩形板状の化粧パネル１７０と、インナーパネル１６０のフランジ部１６３と筐体ケース１３０の開口部１３２の周囲裏面とを貼付ける防水両面テープ１８０と、インナーパネル１６０の表面と化粧パネル１７０の周囲裏面とを貼付ける両面テープ１９０と、を備える。
【００４１】
この構成により、貼付面積の大きい防水両面テープ１８０で筐体ケース１３０とインナーパネル１６０との隙間を密閉するので、防水性能を確保することができる。また、携帯端末装置１００は、化粧パネル１７０の見かけの幅（表面に出ている幅）を細くでき、化粧パネル１７０の細幅化を図ることができる。また、化粧パネル１７０において自由度のあるデザインを実現することができる。
【００４２】
また、インナーパネル１６０は、透明又は半透明の部品で構成され、着信ＬＥＤ部１６５も兼ねているので、部品点数、組立工数を削減することができる。インナーパネル１６０は、ＬＥＤ１２６の防水も兼ねているので、防水が必要な箇所をまとめて防水することで防水管理ポイントを削減することができる。
【００４３】
さらに、本実施の形態の携帯端末装置１００では、携帯端末装置１００全体を薄型化し、かつ、インナーパネル１６０が必要な強度を確保するための工夫が為されている。以下、この点について詳細に説明する。
【００４４】
携帯端末装置１００において、インナーパネル１６０の、サブ表示部１５０と平面視で重なる範囲の裏面（平面部１６１に対向する面）は、サブ表示部１５０に対して所定の間隔を確保する必要がある。インナーパネル１６０を単純な平板とすると、携帯端末装置１００全体を薄型にした場合、インナーパネル１６０の厚みを十分採れず、インナーパネル１６０の強度が不足してしまう。
【００４５】
そこで、本実施の形態では、インナーパネル１６０の平面部１６１部分を、筐体ケース１３０の開口部１３２に突出させる。これにより、平面部１６１に十分な厚み持たせることができるので、携帯端末装置１００全体を薄型にしても、インナーパネル１６０の強度を確保することができる。
【００４６】
また、インナーパネル１６０のフランジ部１６３及び防水両面テープ１８０は、筐体ケース１３０とホルダ１４０との隙間に入ることになる。したがって、筐体ケース１３０に単に開口部１３２を形成しただけでは、フランジ部１６３に連通する部分の肉厚が非常に薄くなってしまう。このような急激な肉厚の差は、形成不良を招来する。
【００４７】
そこで、本実施の形態では、筐体ケース１３０にテーパ部１３３を形成し、インナーパネル１６０にテーパ部１６２を形成する。これにより、インナーパネル１６０において急激な肉厚差を無くすことができるので、インナーパネル１６０の剛性を高めることができる。また、筐体ケース１３０にテーパ部１３３を形成することにより、筐体ケース１３０の成形工程において、成形不良を防止することができる。
【００４８】
また、本実施の形態では、インナーパネル１６０のフランジ部１６３の裏面とホルダ１４０との間において、インナーパネル１６０をホルダ１４０の厚み方向で重ねる。これにより、液晶ディスプレイ部１２２からの押圧に対し、フランジ部１６３が突っ張りとなり、筐体１１０の強度向上を図ることができる。
【００４９】
以上の説明は本発明の好適な実施の形態の例証であり、本発明の範囲はこれに限定されることはない。
【００５０】
上記実施の形態では、携帯端末装置として折り畳み携帯電話機を例に説明したが、本発明は、携帯電話機に限らずＰＤＡ（Personal Digital Assistants）等の携帯情報端末、パーソナルコンピュータ又はその融合された装置、さらにはＭＰ３プレーヤー、ＨＤＤプレーヤーなどの携帯機器にも適用可能である。
【００５１】
また、上記実施の形態では携帯端末装置、携帯電話機という名称を用いたが、これは説明の便宜上であり、携帯端末、電子機器、サブパネル部防水構造等であってもよい。
【００５２】
さらに、本発明では、携帯端末装置を構成する各部、例えば筐体、インナーパネル、筐体ケースの種類・材質、その形状等に限定はない。また、筐体ケースは爪止めが一般的であるが、本発明では筐体ケースの取り付け方法に限定はない。
【産業上の利用可能性】
【００５３】
本発明に係る携帯端末装置は、サブパネルとは別のインナーパネルを、筐体の裏から貼ることで、サブパネル部分の防水性能を確保することができる。したがって、防水機能を必要とする携帯電話機等の各種携帯端末装置、電子機器に適用するに好適である。
【符号の説明】
【００５４】
１００  携帯端末装置
１１０  筐体
１２０  キャビネット
１３０  筐体ケース
１３２、１３５  開口部
１３３、１６２  テーパ部
１４０  ホルダ
１５０  サブ表示部
１５５  防塵クッション
１６０  インナーパネル
１６３  フランジ部
１６５  着信ＬＥＤ部
１７０  化粧パネル（サブパネル）
１８０  防水両面テープ
１９０  両面テープ
【図１】
0005249380.tif 000002
【図２】
0005249380.tif 000003
【図３】
0005249380.tif 000004
【図４】
0005249380.tif 000005
【図５】
0005249380.tif 000006
【図６】
0005249380.tif 000007
【図７】
0005249380.tif 000008
【図８】
0005249380.tif 000009